(57)【要約】【課題】エネルギー管理者がエネルギー管理を行う際の労力を低減する。【解決手段】建物２のエネルギー使用設備８の設備運用状態を示す監視画面２８を表示し、当該エネルギー使用設備８の設定パラメータを設定するために前記監視画面２８に対して行う操作を受け付ける中央監視装置１２と通信し、前記建物２のエネルギー管理を実行するエネルギー管理コンピュータ３０であって、前記建物２の省エネルギー化を実現する前記エネルギー使用設備８の設定値を求める解析部５２と、前記中央監視装置１２との間のリモートデスクトップ接続によって前記設備運用状態を取得する操作手順、前記設備運用状態を前記解析部５２に入力し解析を実行させる操作手順、及び前記解析部５２が求めた設定値を設定するために前記監視画面２８に対して行う操作手順をそれぞれ自動実行するＲＰＡ部５４と、を備える構成とした。【選択図】図３
2020043701.tif 000002
【特許請求の範囲】
【請求項１】
建物に設けられたエネルギー使用設備の設備運用状態を示す監視画面を表示し、当該エネルギー使用設備の設定パラメータを設定するために前記監視画面に対して行われる操作を受け付ける中央監視装置と、通信ネットワークを介して通信し、前記建物のエネルギー管理を実行するエネルギー管理コンピュータであって、
リモートデスクトップサーバの機能を有する前記中央監視装置に、前記通信ネットワークを介してリモートデスクトップ接続し、前記エネルギー使用設備の設備運用状態の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
前記リモートデスクトップ接続した前記中央監視装置から前記エネルギー使用設備の設備運用状態を取得する第１操作手順、前記設備運用状態を前記解析部に入力し解析を実行させる第２操作手順、及び前記解析部が求めた設定値を前記中央監視装置に設定するために前記監視画面に対して行う第３操作手順のそれぞれの操作手順を自動実行するＲＰＡ部と、
を備えることを特徴とするエネルギー管理コンピュータ。
【請求項２】
前記第１操作手順では、前記エネルギー使用設備の設備運用状態に係るデータを、前記リモートデスクトップを接続を通じて前記中央監視装置の記憶装置に蓄積されているデータから取得する
ことを特徴とする請求項１に記載のエネルギー管理コンピュータ。
【請求項３】
前記ＲＰＡ部は、
前記監視画面を画像認識する画像認識部を備え、
前記第１操作手順では、前記画像認識の結果に基づいて前記エネルギー使用設備の設備運用状態を取得する
ことを特徴とする請求項１または２に記載のエネルギー管理コンピュータ。
【請求項４】
前記第１操作手順では、前記エネルギー使用設備の設備運用状態に係るデータを、前記リモートデスクトップを接続を通じて前記中央監視装置の記憶装置に蓄積されているデータから取得し、
当該データが古い場合に、前記画像認識の結果に基づいて前記エネルギー使用設備の設備運用状態を取得する
ことを特徴とする請求項３に記載のエネルギー管理コンピュータ。
【請求項５】
前記ＲＰＡ部は、
予め設定されたスケジュールにしたがって自動実行を開始する
ことを特徴とする請求項１から４のいずれかに記載のエネルギー管理コンピュータ。
【請求項６】
前記ＲＰＡ部は、
前記操作手順に含まれる操作ごとに、当該操作の対象となるＧＵＩ部品の座標を、前記監視画面の中から検出し、当該座標に対して当該操作を自動実行する
ことを特徴とする請求項１から５のいずれかに記載のエネルギー管理コンピュータ。
【請求項７】
前記ＲＰＡ部は、
前記操作手順に含まれる操作を自動実行するごとに、当該操作と対応付けて予め登録されている画像が前記監視画面に表示されていることを条件に、次の操作を自動実行する
ことを特徴とする請求項１から６のいずれかに記載のエネルギー管理コンピュータ。
【請求項８】
前記ＲＰＡ部は、
前記解析部が求めた設定値と、既に設定されている現在値とが一致する場合には、当該設定値を設定するための前記監視画面に対する操作をスキップする
ことを特徴とする請求項１から７のいずれかに記載のエネルギー管理コンピュータ。
【請求項９】
前記ＲＰＡ部は、
前記解析部が求めた設定値と、既に設定されている現在値とが、当該設定値が誤っていると見做せる所定値以上乖離している場合には、当該設定値を設定するための前記監視画面に対する操作をスキップする
ことを特徴とする請求項１から８のいずれかに記載のエネルギー管理コンピュータ。
【請求項１０】
前記ＲＰＡ部は、
前記操作手順に含まれる操作ごとに、当該操作の自動実行の前に、当該操作によって得られる結果が前記監視画面に表示されているか否かを判定し、当該結果が表示されている場合には、当該操作の自動実行をスキップする
ことを特徴とする請求項１から９のいずれかに記載のエネルギー管理コンピュータ。
【請求項１１】
前記ＲＰＡ部は、
前記第３操作手順まで自動実行を完了した後、前記監視画面の表示に基づいて、前記解析部が求めた設定値が正しく設定されていることを確認する第４操作手順を自動実行する
ことを特徴とする請求項１から１０のいずれかに記載のエネルギー管理コンピュータ。
【請求項１２】
前記ＲＰＡ部は、
前記第１操作手順から前記第３操作手順までの自動実行が中断された場合、予め設定された別の操作手順を自動実行する
ことを特徴とする請求項１から１１のいずれかに記載のエネルギー管理コンピュータ。
【請求項１３】
前記操作手順には、前記操作ごとに戻り値が予め設定され、当該戻り値ごとに次の操作が設定されており、
前記ＲＰＡ部は、
前記操作手順に含まれる操作を自動実行するごとに、当該操作の自動実行によって得られた戻り値に対応する次の操作を自動実行する
ことを特徴とする請求項１から１２のいずれかに記載のエネルギー管理コンピュータ。
【請求項１４】
前記ＲＰＡ部は、
前記第１操作手順から前記第３操作手順までを、
エネルギー管理における重要度に基づいて分けられた前記エネルギー使用設備のグループ、又は、同一の前記監視画面に対して前記第３操作手順を実行可能な前記エネルギー使用設備のグループごとに自動実行する、
ことを特徴とする請求項１から１３のいずれかに記載のエネルギー管理コンピュータ。
【請求項１５】
建物に設けられたエネルギー使用設備の設備運用状態を示す監視画面を表示し、当該エネルギー使用設備の設定パラメータを設定するために前記監視画面に対して行われる操作を受け付ける中央監視装置と、
通信ネットワークを介して前記中央監視装置と通信し、前記建物のエネルギー管理を実行するエネルギー管理コンピュータと、
を備え、
前記中央監視装置は、
リモートデスクトップサーバの機能を有し、
前記エネルギー管理コンピュータは、
前記中央監視装置に前記通信ネットワークを介してリモートデスクトップ接続し、前記エネルギー使用設備の設備運用状態の取得、前記監視画面の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
前記リモートデスクトップ接続した前記中央監視装置から前記エネルギー使用設備の設備運用状態を取得する第１操作手順、前記設備運用状態を前記解析部に入力し解析を実行させる第２操作手順、及び前記解析部が求めた設定値を前記中央監視装置に設定するために前記監視画面に対して行う第３操作手順のそれぞれの操作手順を自動実行するＲＰＡ部と、
を備えることを特徴とする遠隔管理システム。
【発明の詳細な説明】
【技術分野】
【０００１】
本発明は、エネルギー管理コンピュータ、及び遠隔管理システムに関する。
【背景技術】
【０００２】
ビルや商業施設などの大規模な建物には、その建物の管理室などに中央監視システムが設けられている。中央監視システムは、ＢＡＳ（Building Automation System）とも称され、空調説明や照明設備といった、その建物に設けられたエネルギー使用設備を自動制御するものであり、建物のエネルギー使用設備に関する情報を収集し、当該情報に基づいてエネルギー使用設備を監視、及び制御する機能を備える。
【０００３】
また、ビルに設置された各種の設備を監視する監視制御システムを、ネットワークを通じて遠隔操作可能にする技術も知られている（例えば、特許文献１、特許文献２、及び特許文献３参照）。
【先行技術文献】
【特許文献】
【０００４】
【特許文献１】特許第５３２５３６２号公報
【特許文献２】特許第５５６８８２８号公報
【特許文献３】特許第５７５７０１７号公報
【発明の概要】
【発明が解決しようとする課題】
【０００５】
中央監視システムを遠隔操作可能にすることで、エネルギー管理者は、複数の建物のエネルギー管理を兼務し易くなる。
しかしながら、近年では、１つの建物だけでも、エネルギー管理に要する設定項目は膨大に亘り、これらの設定項目をエネルギー管理者が設定し、エネルギー使用設備の設備運用状態を適切に維持することは、労力を非常に要するものとなっている。
【０００６】
本発明は、エネルギー管理者が建物のエネルギー管理を行う際の労力を低減できるエネルギー管理コンピュータ、及び遠隔管理システムを提供することを目的とする。
【課題を解決するための手段】
【０００７】
本発明は、建物に設けられたエネルギー使用設備の設備運用状態を示す監視画面を表示し、当該エネルギー使用設備の設定パラメータを設定するために前記監視画面に対して行われる操作を受け付ける中央監視装置と、通信ネットワークを介して通信し、前記建物のエネルギー管理を実行するエネルギー管理コンピュータであって、リモートデスクトップサーバの機能を有する前記中央監視装置に、前記通信ネットワークを介してリモートデスクトップ接続し、前記エネルギー使用設備の設備運用状態の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、前記リモートデスクトップ接続した前記中央監視装置から前記エネルギー使用設備の設備運用状態を取得する第１操作手順、前記設備運用状態を前記解析部に入力し解析を実行させる第２操作手順、及び前記解析部が求めた設定値を前記中央監視装置に設定するために前記監視画面に対して行う第３操作手順のそれぞれの操作手順を自動実行するＲＰＡ部と、を備えることを特徴とする。
【０００８】
本発明は、上記エネルギー管理コンピュータにおいて、前記第１操作手順では、前記エネルギー使用設備の設備運用状態に係るデータを、前記リモートデスクトップを接続を通じて前記中央監視装置の記憶装置に蓄積されているデータから取得することを特徴とする。
【０００９】
本発明は、上記エネルギー管理コンピュータにおいて、前記ＲＰＡ部は、前記監視画面を画像認識する画像認識部を備え、前記第１操作手順では、前記画像認識の結果に基づいて前記エネルギー使用設備の設備運用状態を取得することを特徴とする。
【００１０】
本発明は、上記エネルギー管理コンピュータにおいて、前記第１操作手順では、前記エネルギー使用設備の設備運用状態に係るデータを、前記リモートデスクトップを接続を通じて前記中央監視装置の記憶装置に蓄積されているデータから取得し、当該データが古い場合に、前記画像認識の結果に基づいて前記エネルギー使用設備の設備運用状態を取得することを特徴とする。
【００１１】
本発明は、上記エネルギー管理コンピュータにおいて、前記ＲＰＡ部は、予め設定されたスケジュールにしたがって自動実行を開始することを特徴とする。
【００１２】
本発明は、上記エネルギー管理コンピュータにおいて、前記ＲＰＡ部は、前記操作手順に含まれる操作ごとに、当該操作の対象となるＧＵＩ部品の座標を、前記監視画面の中から検出し、当該座標に対して当該操作を自動実行することを特徴とする。
【００１３】
本発明は、上記エネルギー管理コンピュータにおいて、前記ＲＰＡ部は、前記操作手順に含まれる操作を自動実行するごとに、当該操作と対応付けて予め登録されている画像が前記監視画面に表示されていることを条件に、次の操作を自動実行することを特徴とする。
【００１４】
本発明は、上記エネルギー管理コンピュータにおいて、前記ＲＰＡ部は、前記解析部が求めた設定値と、既に設定されている現在値とが一致する場合には、当該設定値を設定するための前記監視画面に対する操作をスキップすることを特徴とする。
【００１５】
本発明は、上記エネルギー管理コンピュータにおいて、前記ＲＰＡ部は、前記解析部が求めた設定値と、既に設定されている現在値とが、当該設定値が誤っていると見做せる所定値以上乖離している場合には、当該設定値を設定するための前記監視画面に対する操作をスキップすることを特徴とする。
【００１６】
本発明は、上記エネルギー管理コンピュータにおいて、前記ＲＰＡ部は、前記操作手順に含まれる操作ごとに、当該操作の自動実行の前に、当該操作によって得られる結果が前記監視画面に表示されているか否かを判定し、当該結果が表示されている場合には、当該操作の自動実行をスキップすることを特徴とする。
【００１７】
本発明は、上記エネルギー管理コンピュータにおいて、前記ＲＰＡ部は、前記第３操作手順まで自動実行を完了した後、前記監視画面の表示に基づいて、前記解析部が求めた設定値が正しく設定されていることを確認する第４操作手順を自動実行することを特徴とする。
【００１８】
本発明は、上記エネルギー管理コンピュータにおいて、前記ＲＰＡ部は、前記第１操作手順から前記第３操作手順までの自動実行が中断された場合、予め設定された別の操作手順を自動実行することを特徴とする。
【００１９】
本発明は、上記エネルギー管理コンピュータにおいて、前記操作手順には、前記操作ごとに戻り値が予め設定され、当該戻り値ごとに次の操作が設定されており、前記ＲＰＡ部は、前記操作手順に含まれる操作を自動実行するごとに、当該操作の自動実行によって得られた戻り値に対応する次の操作を自動実行することを特徴とする。
【００２０】
本発明は、上記エネルギー管理コンピュータにおいて、前記ＲＰＡ部は、前記第１操作手順から前記第３操作手順までを、エネルギー管理における重要度に基づいて分けられた前記エネルギー使用設備のグループ、又は、同一の前記監視画面に対して前記第３操作手順を実行可能な前記エネルギー使用設備のグループごとに自動実行する、ことを特徴とする。
【００２１】
本発明は、建物に設けられたエネルギー使用設備の設備運用状態を示す監視画面を表示し、当該エネルギー使用設備の設定パラメータを設定するために前記監視画面に対して行われる操作を受け付ける中央監視装置と、通信ネットワークを介して前記中央監視装置と通信し、前記建物のエネルギー管理を実行するエネルギー管理コンピュータと、を備え、前記中央監視装置は、リモートデスクトップサーバの機能を有し、前記エネルギー管理コンピュータは、前記中央監視装置に前記通信ネットワークを介してリモートデスクトップ接続し、前記エネルギー使用設備の設備運用状態の取得、前記監視画面の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、前記リモートデスクトップ接続した前記中央監視装置から前記エネルギー使用設備の設備運用状態を取得する第１操作手順、前記設備運用状態を前記解析部に入力し解析を実行させる第２操作手順、及び前記解析部が求めた設定値を前記中央監視装置に設定するために前記監視画面に対して行う第３操作手順のそれぞれの操作手順を自動実行するＲＰＡ部と、を備えることを特徴とする遠隔管理システムを提供する。
【発明の効果】
【００２２】
本発明によれば、エネルギー管理者が建物のエネルギー管理を行う際の労力を低減できる。
【図面の簡単な説明】
【００２３】
【図１】本発明の実施形態に係る遠隔管理システム１の構成を示す図である。
【図２】中央監視装置の構成を示す図である。
【図３】エネルギー管理装置の構成を示す図である。
【図４】エネルギー管理コンピュータのエネルギー管理動作を示すフローチャートである。
【発明を実施するための形態】
【００２４】
以下、図面を参照して本発明の実施形態について説明する。
図１は、本実施形態に係る遠隔管理システム１の構成を示す図である。
遠隔管理システム１は、建物２に設置された中央監視システム４を通信ネットワークＮＷを通じて遠隔操作し、遠隔地から建物２のエネルギー管理を可能にするシステムである。本実施形態では、遠隔管理システム１は、遠隔管理対象の中央監視システム４と、この中央監視システム４の間で通信ネットワークＮＷを介して相互に通信し、建物２のエネルギー管理を実行するエネルギー管理装置６と、を備える。通信ネットワークＮＷには、例えばインターネットや携帯電話網といった広域の電気通信回線が用いられる。なお、中央監視システム４とエネルギー管理装置６とがＶＰＮ（Virtual Private Network）を通じて相互に通信してもよい。
【００２５】
建物２は、例えば、工場、事務所、オフィスビル、官公庁施設、学校、宿泊施設、デパート、複合商業施設、病院等である。本実施形態において、建物２は、日本国における「エネルギー使用の合理化に関する法律（昭和五十四年法律第四十九号）」の第３条で規定された「工場等」に相当するものとする。
【００２６】
中央監視システム４は、いわゆるＢＡＳであり、建物２に設置された複数のエネルギー使用設備８を管理する。本実施形態の中央監視システム４は、１又は複数（図示例では複数）の設備計測装置９と、１又は複数（図示例では複数）の環境計測装置１０と、中央監視装置１２と、を備え、これらが建物２に敷設された建物内ネットワーク１１を介してデータ通信可能に接続されている。この建物内ネットワーク１１は、いわゆるＬＡＮ（Local Area Network）であり、通信プロトコルには適宜のプロトコルが用いられる。
【００２７】
エネルギー使用設備８は、燃料や熱、電気などのエネルギーを使用して稼働する設備である。燃料は、例えば原油や揮発油、重油、可燃性天然ガス、石炭、コークスなどである。設備は、例えば空調設備や照明設備、エレベータ設備などである。
【００２８】
設備計測装置９は、１又は複数のエネルギー使用設備８の設備運用状態、及びエネルギー消費量を直接的又は間接的に計測するデバイスである。設備運用状態の計測値としては、例えばエネルギー使用設備８のオン／オフ状態や、エネルギー使用設備８に設定可能な各種の設定パラメータの設定値などが挙げられる。エネルギー使用設備８が空調設備である場合、設定パラメータは、例えば、稼働させる空気調和装置、並びに、それぞれの空気調和装置に設定される空調運転モード（冷房／暖房／除湿）、設定温度、風量設定、風向設定、及びタイマー設定などが挙げられる。またエネルギー使用設備８が照明設備である場合、設定パラメータは、例えば、点灯させる照明器具、並びに、それぞれの調光設定及び点灯スケジュール設定などが挙げられる。エネルギー消費量の計測値としては、例えば消費電力量や電流値などが挙げられる。
環境計測装置１０は、建物２における環境の状態を計測するデバイスである。環境は、エネルギー使用設備８の稼働によって状況が変化する事物、又は、エネルギー使用設備８の稼働を条件付ける事物であり、例えば、建物２の室温や湿度、明るさ、建物２内に居る人数などが該当する。なお、建物２における環境の状態を、以下、「建物環境状態」と言う。
【００２９】
図２は、中央監視装置１２の構成を示す図である。
中央監視装置１２は、中央監視コンピュータ１４と、表示装置１６と、入力デバイス１７と、を備える。なお、中央監視装置１２において、これらは一体及び別体のどちらで構成されてもよい。
中央監視コンピュータ１４は、いわゆるパーソナルコンピュータによって構成されており、ＣＰＵやＭＰＵなどのプロセッサと、ＲＯＭやＲＡＭなどのメモリデバイスと、ＨＤＤやＳＳＤなどのストレージと、周辺機器を接続するためのインタフェース回路と、建物内ネットワーク１１に接続するための第１通信回路と、通信ネットワークＮＷに接続するための第２通信回路とを備える。
【００３０】
表示装置１６は、中央監視コンピュータ１４が出力する映像信号Ｄａに基づいて各種の情報を表示する装置である。
入力デバイス１７は、中央監視コンピュータ１４に対するユーザ操作を受け付けて当該中央監視コンピュータ１４に入力信号Ｄｂを入力する器機であり、例えばマウスやキーボード、表示装置１６に設けられたタッチパネルなどである。
【００３１】
本実施形態の中央監視コンピュータ１４は、図２に示すように、ＯＳ２０と、中央監視アプリケーション２２と、リモートデスクトップサーバ２４と、データ蓄積部２５と、を備え、これらはストレージに記憶されたソフトウェアによって実現されている。
ＯＳ２０は、中央監視コンピュータ１４を制御するオペレーティングシステムであり、例えば、Ｍｉｃｒｏｓｏｆｔ者のＷｉｎｄｏｗｓ（登録商標）、Ｇｏｏｇｌｅ社のＡｎｄｒｏｉｄ（登録商標）、或いはＬｉｎｕｘ（登録商標）などが用いられる。
【００３２】
中央監視アプリケーション２２は、プロセッサによって実行されることでコンピュータに各種の機能部として機能させるアプリケーションプログラムである。本実施形態の中央監視アプリケーション２２は、建物２のエネルギー使用設備８に関する情報を設備計測装置９から収集し、また建物環境状態に関する情報を環境計測装置１０から収集し、これらの情報に基づいてエネルギー使用設備８を監視、及び制御する装置として中央監視コンピュータ１４を機能させる。
【００３３】
中央監視アプリケーション２２には、エネルギー使用設備８をユーザが監視、及び制御するためのＧＵＩ（Graphical User Interface）画面である監視画面２８を提供する監視画面提供機能と、監視画面２８の操作を受け付ける操作受付機能と、各種データを保存する機能とを中央監視コンピュータ１４に実現させるソフトウェアが実装されている。
【００３４】
監視画面２８には、各エネルギー使用設備８の設備運用状態、及び、エネルギー使用状態と、現在の建物環境状態とが表示され、これらの表示に基づいて、各エネルギー使用設備８、及び建物２内の状態をユーザが監視できるようになっている。
エネルギー使用設備８の設備運用状態やエネルギー使用状態、現在の建物環境状態などを示すデータは、定期的（例えば１時間ごとや１２時間ごと、２４時間ごと）、或いは不定期にデータ蓄積部２５に出力されて蓄積される。データ蓄積部２５は、ストレージ（記憶装置）を備え、このデータ蓄積部２５に蓄積されているデータは、中央監視アプリケーション２２を介さずともＯＳ２０から直接アクセス（読書）可能になっている。このストレージは、中央監視コンピュータ１４に内蔵型の装置であっても外付け型の装置であってもいずれでもよい。またデータのデータ形式は、エネルギー管理コンピュータ３０のＯＳ４０やエネルギー管理アプリケーション４４によってサポートされている（読書可能になっている）限りにおいて任意であり、例えばテキスト形式やＣＳＶ形式などであってもよい。
【００３５】
また監視画面２８には、複数のＧＵＩ部品２９が配置されている。ＧＵＩ部品２９は、監視画面２８に対する操作を受け付ける部品である。この操作の一例には、エネルギー使用設備８の設備運用状態を変更するために、エネルギー使用設備８の設定パラメータを設定するための設定操作がある。この設定操作を受け付けるＧＵＩ部品２９としては、例えば、エネルギー使用設備８の発停を操作する操作ボタンや、各種の設定パラメータの設定値を入力操作するための入力フィールドやスライドバー、選択スイッチなどが挙げられる。
【００３６】
中央監視コンピュータ１４は、プロセッサが中央監視アプリケーション２２を実行することで監視画面２８を生成すると、その映像信号ＤａをＯＳ２０の機能にしたがって生成し、表示装置１６に出力する。これにより表示装置１６に監視画面２８が表示される。
また、ユーザが監視画面２８のＧＵＩ部品２９に対して入力デバイス１７を用いて操作すると、操作に応じた入力信号Ｄｂが入力デバイス１７から中央監視コンピュータ１４に入力される。中央監視コンピュータ１４にあっては、入力デバイス１７の操作に応じた入力信号Ｄｂが入力されると、ＯＳ２０の機能にしたがって、当該入力信号Ｄｂに基づく操作が中央監視アプリケーション２２に引き渡される。この結果、中央監視アプリケーション２２によって、操作に応じた処理が実行されることとなる。
【００３７】
リモートデスクトップサーバ２４は、ＯＳ２０や中央監視アプリケーション２２の実行機能や、ストレージなどのハードウェア資源を、リモートデスクトップの機能によってエネルギー管理装置６から利用可能とする。すなわち、このリモートデスクトップの機能により、中央監視装置１２における監視画面２８の表示や当該監視画面２８に対する操作、データ蓄積部２５に蓄積されたデータへのアクセスをエネルギー管理装置６から遠隔で行うことが可能になる。リモートデスクトップサーバ２４の実装手法については公知の任意の技術を用いることができる。
【００３８】
図３は、エネルギー管理装置６の構成を示す図である。
エネルギー管理装置６は、エネルギー管理コンピュータ３０と、表示装置３２と、入力デバイス３４と、を備える。なお、エネルギー管理装置６において、これらは一体及び別体のどちらで構成されてもよい。
エネルギー管理コンピュータ３０は、いわゆるパーソナルコンピュータによって構成されており、ＣＰＵやＭＰＵなどのプロセッサと、ＲＯＭやＲＡＭなどのメモリデバイスと、ＨＤＤやＳＳＤなどのストレージと、周辺機器を接続するためのインタフェース回路と、通信ネットワークＮＷに接続するための通信回路と、を備える。
表示装置３２は、エネルギー管理コンピュータ３０が出力する映像信号Ｄｃに基づいて各種の情報を表示する装置である。
入力デバイス３４は、エネルギー管理コンピュータ３０に対するユーザ操作を受け付けて当該エネルギー管理コンピュータ３０に入力信号Ｄｄを入力する器機であり、例えばマウスやキーボード、表示装置３２に設けられたタッチパネルなどである。
【００３９】
本実施形態のエネルギー管理コンピュータ３０は、ＯＳ４０と、リモートデスクトップクライアント４２と、エネルギー管理アプリケーション４４と、を備え、これらはストレージに記憶されたソフトウェアによって実現されている。
ＯＳ４０は、エネルギー管理コンピュータ３０を制御するオペレーティングシステムであり、例えば、Ｍｉｃｒｏｓｏｆｔ者のＷｉｎｄｏｗｓ、Ｇｏｏｇｌｅ社のＡｎｄｒｏｉｄ、或いはＬｉｎｕｘなどが用いられる。
【００４０】
リモートデスクトップクライアント４２は、ＯＳ４０の上で稼働するソフトウェアであり、中央監視コンピュータ１４のリモートデスクトップサーバ２４と通信ネットワークＮＷを介して連携してエネルギー管理コンピュータ３０上でリモートデスクトップサービスを実現する。このリモートデスクトップサービスでは、中央監視コンピュータ１４が生成する監視画面２８の映像信号Ｄａがエネルギー管理コンピュータ３０に通信ネットワークＮＷを介して受信される。これにより、映像信号Ｄａが示す監視画面２８がエネルギー管理装置６で取得され、表示装置３２には、この監視画面２８がリモートデスクトップクライアント４２のリモートデスクトップ画面４３の中に表示される。また、リモートデスクトップサービスでは、この監視画面２８に対する操作の入力信号Ｄｄが入力デバイス３４からエネルギー管理コンピュータ３０に入力されると、その入力信号Ｄｄが中央監視コンピュータ１４に通信ネットワークＮＷを介して入力される。これにより、中央監視装置１２への監視画面２８に対する遠隔操作入力が可能になる。さらにリモートデスクトップサービスでは、リモートデスクトップクライアント４２からリモートデスクトップサーバ２４のデータ蓄積部２５にアクセスし、当該データ蓄積部２５に蓄積されているデータを通信ネットワークＮＷを介して取得可能になる。
なお、リモートデスクトップクライアント４２の実装手法については公知の任意の技術を用いることができる。
【００４１】
エネルギー管理アプリケーション４４は、プロセッサによって実行されることでエネルギー管理コンピュータ３０に、エネルギー管理に係る各種の機能を実現させるアプリケーションプログラムである。本実施形態のエネルギー管理アプリケーション４４には、建物２の省エネルギー化のための各エネルギー使用設備８の制御を自動実行する省エネルギー化自動制御機能をエネルギー管理コンピュータ３０に実現させるソフトウェアが実装されている。具体的には、本実施形態のエネルギー管理アプリケーション４４は、エネルギー管理コンピュータ３０には、解析部５２、及びＲＰＡ部５４として機能させるソフトウェアが実装されている。
【００４２】
解析部５２は、建物２の省エネルギー化を実現する各エネルギー使用設備８の最適運用解析を入力情報に基づいて実行し、解析結果を出力する。
本実施形態では、入力情報には、建物属性情報、設備属性情報、上記設備運用状態、及び上記建物環境状態が用いられる。
建物属性情報は、建物２の利用用途、及び構造に関する情報である。利用用途には、例えば商業施設やデパート、事務所、製造工場といった情報が格納される。構造には、躯体構造（広さ、大きさを含む）や断熱、採光、換気、排気などに関する情報が格納される。
設備属性情報は、エネルギー使用設備８の種類や型番、仕様（特にエネルギー消費に関する事項）、使用年数、消耗度、メンテナンス履歴などの情報が格納される。
また解析部５２による解析結果には、省エネルギー効果が得られる各エネルギー使用設備８の設定パラメータの設定値が含まれている。
【００４３】
解析部５２には、入力情報を入力する入力インタフェース部５２Ａと、解析結果を出力する出力インタフェース部５２Ｂとが設けられている。入力インタフェース部５２Ａ、及び出力インタフェース部５２Ｂには、例えば、ＧＵＩ画面や、解析部５２が読書可能なデータファイルの入出力といった任意のインタフェースを用いることができる。
【００４４】
ＲＰＡ部５４は、エネルギー管理コンピュータ３０に、解析部５２による解析と、この解析結果に基づく監視画面２８に対する操作とを、自動実行させるものである。この自動実行には、ＲＰＡ（Robotic Process Automation）が用いられており、このＲＰＡがエネルギー管理アプリケーション４４に実装され、或いは、ソフトウェアモジュールとして組み込まれている。
そして、ＲＰＡ部５４は、ＲＰＡを用いることで、監視画面２８を認識し、当該監視画面２８に対してユーザが入力デバイス３４を用いて行う操作と同じ操作を行うことができるようになっている。
なお、エネルギー管理アプリケーション４４へのＲＰＡの実装手法、及び組込手法については、公知の任意の技術を用いることができる。
【００４５】
本実施形態のＲＰＡ部５４は、設定ツール部５６と、データ取得部５７と、画像認識部５８と、監視画面操作制御部６０と、を備える。
データ取得部５７は、リモートデスクトップサービスを通じて、リモートデスクトップクライアント４２からリモートデスクトップサーバ２４として動作している中央監視コンピュータ１４のデータ蓄積部２５にアクセスし、当該データ蓄積部２５に蓄積されているデータ、より正確には中央監視アプリケーション２２が蓄積する各種データを取得する。
画像認識部５８は、監視画面２８を映像信号Ｄａに基づいて画像認識し、当該監視画面２８から各種情報を取得する。この画像認識には、任意のＯＣＲ（Optical Character Recognition）技術が用いられる。なお、画像認識部５８は、映像信号Ｄａに基づいて画像認識するのではなく、表示装置３２に表示された監視画面２８を画像認識してもよい。
【００４６】
設定ツール部５６は、ユーザに代わって自動実行する一連の入力デバイス３４を用いた操作手順を、任意のタイミングでユーザが設定可能にするものであり、設定された操作手順をシナリオデータ５６Ａとして保持する。この設定ツール部５６を用いた設定により、建物２のエネルギー管理のための入力デバイス３４を用いた一連の操作手順（以下、「エネルギー管理操作手順」と言う）、及び、このエネルギー管理操作手順を自動実行する自動実行開始日時（すなわち、実行スケジュール）がユーザによって予め設定される。
【００４７】
本実施形態では、エネルギー管理操作手順には、次の操作手順が含まれている。
すなわち、解析部５２に入力する入力情報を、リモートデスクトップサービスを用いて、リモートデスクトップサーバ２４として機能している中央監視コンピュータ１４から取得する際の入力デバイス３４の第１操作手順と、解析部５２に入力情報を入力し当該解析部５２に解析を実行させる際の入力デバイス３４の第２操作手順と、エネルギー使用設備８の設定パラメータの設定値を解析部５２の解析結果に基づいて設定するために視画面２８に対して行われる入力デバイス３４による第３操作手順と、である。
【００４８】
第１操作手順では、データ取得部５７によって中央監視コンピュータ１４のデータ蓄積部２５にアクセスし、当該データ蓄積部２５から入力情報を取得する。
この場合において、中央監視アプリケーション２２によるデータ蓄積タイミングによっては、データ蓄積部２５に蓄積されているデータが、解析部５２の解析に用いるには古いことがある。さらに詳述すると、当該データの生成時刻、或いは、当該データが示す設備運用状態の計測時刻と現在時刻との差が大きすぎて、当該データに基づいてエネルギー使用設備８の運転状態を制御すると、適切な制御結果が得られない場合がある。
そこで、第１操作手順では、ＲＰＡ部５４がデータが古いか否かの判定を行い、データが古い場合には、リモートデスクトップ接続によって取得された最新の監視画面２８から画像認識部５８により最新の入力情報を取得する。
【００４９】
監視画面操作制御部６０は、監視画面２８から情報を取得する際、及び監視画面２８へ設定パラメータの設定値を入力する際のＲＰＡ部５４の動作を制御する。この制御の詳細については後述する。
【００５０】
次いで、エネルギー管理装置６の動作について説明する。
図４は、エネルギー管理コンピュータ３０のエネルギー管理動作を示すフローチャートである。
このエネルギー管理動作は、エネルギー管理コンピュータ３０のプロセッサがエネルギー管理アプリケーション４４を実行した際の動作である。先ず、ＲＰＡ部５４は、シナリオデータ５６Ａに予め設定された実行スケジュールの自動実行開始日時が到来すると（ステップＳａ１：Ｙｅｓ）、中央監視コンピュータ１４を遠隔操作してエネルギー管理を自動実行するために、リモートデスクトップクライアント４２を起動する（ステップＳａ２）。
そして、リモートデスクトップクライアント４２と、中央監視コンピュータ１４のリモートデスクトップサーバ２４との間でリモートデスクトップ接続が完了することで（ステップＳａ３：Ｙｅｓ）、中央監視コンピュータ１４が出力する監視画面２８の映像信号Ｄａがリモートデスクトップクライアント４２によって取得され、表示装置３２のリモートデスクトップ画面４３の中に監視画面２８が表示される。また、中央監視コンピュータ１４に対し、エネルギー管理装置６の入力デバイス３４を用いた監視画面２８の遠隔操作も可能な状態となり、さらに、中央監視コンピュータ１４のデータ蓄積部２５のデータにアクセス可能な状態になる。
【００５１】
次いで、ＲＰＡ部５４は、シナリオデータ５６Ａに記録されているエネルギー管理操作手順を自動実行することで、建物２のエネルギー管理を実行する。具体的には、ＲＰＡ部５４は、ユーザによる入力デバイス３４の実際の操作に代わり、シナリオデータ５６Ａに記録された操作を再現するための入力デバイス３４の入力信号Ｄｄを順次に生成し、ＯＳ４０に出力する。
これにより、先ず、ＲＰＡ部５４は、データ取得部５７によって中央監視コンピュータ１４のデータ蓄積部２５にアクセスし、当該データ蓄積部２５から入力情報を取得する操作を自動実行する（ステップＳａ４）。次いで、ＲＰＡ部５４は、取得した入力情報の全部また一部が、解析部５２の解析に用いるには古過ぎるか否かを判断する（ステップＳａ５）。入力情報が古過ぎる場合には（ステップＳａ５：Ｙｅｓ）、ＲＰＡ部５４は、映像信号Ｄａに基づいて最新の監視画面２８を画像認識部５８によって画像認識することで、当該監視画面２８から最新の入力情報を取得する操作を自動実行する（ステップＳａ６）。
【００５２】
次いで、ＲＰＡ部５４は、ステップＳａ４またはＳａ６で取得した入力情報を解析部５２に入力インタフェース部５２Ａを通じて入力する操作を自動実行する（ステップＳａ７）。このステップＳａ４からＳａ７の操作は、解析部５２に入力する全ての入力情報について実行される。
【００５３】
そしてＲＰＡ部５４は、全ての入力情報を解析部５２に入力する操作が完了すると（ステップＳａ８：Ｙｅｓ）、解析部５２に解析させる操作を自動実行する（ステップＳａ９）。ＲＰＡ部５４は、解析部５２による解析が終了すると（ステップＳａ９：Ｙｅｓ）、解析結果に基づいて各エネルギー使用設備８の設定パラメータの設定値を監視画面２８に設定する設定操作を自動実行する（ステップＳａ１０）。
【００５４】
これにより、建物２に設置された中央監視システム４を通信ネットワークＮＷを通じてエネルギー管理装置６が遠隔操作し、建物２の省エネルギー化を達成するように、各エネルギー使用設備８の設備運用状態が制御される。
また、かかる遠隔操作がＲＰＡ部５４によってユーザに代わって自動実行されるので、ユーザの負担を大きく低減できる。
【００５５】
ところで、中央監視コンピュータ１４は、監視画面２８を通じて、エネルギー使用設備８などの重要な設備をユーザ操作可能にする機能を提供している。このため、ＲＰＡ部５４によるエネルギー管理操作手順の自動実行においては、誤操作なく安全に監視画面２８の一連の操作手順を自動実行する必要がある。
【００５６】
また、建物２のエネルギー管理において、エネルギー使用設備８の設定パラメータの設定操作に時間がかかると、建物環境状態が解析時点から大きく変化してしまう場合がある。この場合、解析結果に基づくエネルギー使用設備８の運用が行われたとしても、解析通りの省エネルギー効果が得られない。
このような事情により、エネルギー管理においては、監視画面２８への設定パラメータの設定操作は、速やか、かつ確実に実施される必要がある。しかしながら、近年、中央監視コンピュータ１４が監視画面２８における操作ポイント数（入力対象となる設定パラメータの数）は増加の一途を辿っている。このため、何ら対策を施さなければ、ＲＰＡ部５４が多量の設定パラメータの設定操作を迅速に完了することは困難となる。
【００５７】
例えば空調設備においては、解析結果を正確に反映した設備運用状態とするには、約１０分以内で設定操作を完了することが求められる。しかしながら、比較的大きな建物２では、空調設備が１００台から数百台の空気調和装置を備えていることがあり、この台数分の操作ポイント数に対する設定操作を１０分以内で完了することは困難であり、このため、解析結果通りの省エネルギー効果が得られないことが多々ある。
【００５８】
さらに、近年、中央監視コンピュータ１４が監視画面２８を通じて監視可能なエネルギー使用設備８のポイント数（すなわち、ＲＰＡ部５４が取得対象とする情報数）も増加しており、何ら対策を施さなければ、ＲＰＡ部５４が各ポイントの情報取得に要する時間も長くなる。
【００５９】
これに対し、本実施形態では、上述の通り、中央監視コンピュータ１４のデータ蓄積部２５に直接的にデータ取得部５７によってアクセスし、解析に要する入力情報を取得する構成とすることで、入力情報を迅速に取得でき、当該入力情報の取得に要する時間を大きく短縮できる。
特に、監視画面２８の画像認識を用いて入力情報を取得する場合、中央監視アプリケーション２２によっては、数十ページに亘って監視画面２８を遷移させ、それぞれのページに対して画像認識を行って、日報データやサマリグラフ等から、解析部５２の解析に必要な情報を取得することになる。この場合、必要な情報の取得だけでも膨大な時間を要し、また、情報の誤取得なども発生し易くなる。これに対して、中央監視コンピュータ１４のデータ蓄積部２５に直接的にアクセスしてデータを取得することで、大量の情報を短時間で、かつ正確に取得可能となり、正確かつリアルタイムなエネルギー管理を実現できる。
さらに、データ蓄積部２５に蓄積されたデータが古いときに限って、中央監視コンピュータ１４における最新の監視画面２８から画像認識部５８により最新の入力情報を取得するので、入力情報の鮮度も担保されることとなる。
【００６０】
さらに本実施形態では、監視画面操作制御部６０によって、ＲＰＡ部５４がエネルギー管理操作手順を自動実行する際の誤操作防止と、設定操作の高速化とが実現されるようになっている。
【００６１】
（１）誤操作防止
誤操作防止は、ＲＰＡ部５４が監視画面２８を操作する際の誤操作を防止するものであり、監視画面操作制御部６０が操作対象ＧＵＩ部品探索機能と、操作タイミング調整機能と、を備えることで実現されている。
【００６２】
（１Ａ）操作対象ＧＵＩ部品探索機能
一般に、中央監視コンピュータ１４は、監視画面２８に対する設備運用状態の確認操作や、設定パラメータの変更操作を、監視画面２８のメインウインドウではなく、メインウインドウとは別のサブウインドウを通じて受け付ける構成のものがある。さらに、中央監視コンピュータ１４において、中央監視アプリケーション２２がＯＳ２０のポップアップ表示機能を利用し、サブウインドウをメインウインドウ上にポップアップ表示する構成となっている場合がある。そして、この場合には、メインウインドウに対するサブウインドウの表示位置が度々異なることがある。
【００６３】
一方、一般的なＲＰＡにおいて、操作位置は、画面上の絶対座標を用いて指定されている。
このため、監視画面２８において、サブウインドウの表示位置が異なると、ユーザが意図していない箇所が誤操作されるといった問題がある。そして、この誤操作により、重要なエネルギー使用設備８を停止させてしまったり、誤ったエネルギー使用設備８に対し、そのエネルギー使用設備８の運転に支障がある設定値を設定してしまったり、といった重大な事態が生じ得る。
【００６４】
この問題を防ぐために、例えば、ＲＰＡ部５４が監視画面２８の操作前に、操作箇所の画像と、正しい操作箇所として予め登録されている画像とを比較し、両者が異なっている場合は、操作を中断するという誤動作防止の画像チェック機能を実装することが考えられる。この機能によれば、サブウインドウの表示位置が度々異なったとしても、誤った箇所への操作が防止され、重大な事態の発生も防止できる。
しかしながら、この場合には、エネルギー管理操作手順の自動実行が中断され、エネルギー管理が完遂されない。
【００６５】
また例えば、上記問題を防ぐために、ＲＰＡ部５４が、サブウインドウの表示後に、中央監視コンピュータ１４のＯＳ２０が備えるウインドウの並べ替え機能を利用して、サブウインドウを規定位置に表示させる操作を実行することも考え得る。またＲＰＡ部５４が、サブウインドウの表示後に、当該サブウインドウを一旦閉じ、再度表示させるといった操作をサブウインドウが規定位置に表示されるまで繰り返すといった操作を実行することも考え得る。
しかしながら、ＲＰＡ部５４が、かかる操作を行うことで余計な時間がかかってしまい、限られた時間でタイムリーに多量の設定パラメータを設定操作することは、より困難になる。
【００６６】
これらの問題を解消するために、本実施形態の監視画面操作制御部６０は、操作対象ＧＵＩ部品探索機能を備える。
操作対象ＧＵＩ部品探索機能は、操作対象として予め登録されたＧＵＩ部品２９を監視画面２８の中から画像認識部５８の画像認識を用いて探索し、見つかった操作対象のＧＵＩ部品２９の監視画面２８における座標を検出する機能である。この操作対象のＧＵＩ部品２９は、例えば設定ツール部５６を用いたユーザによる設定の際にＲＰＡ部５４によって特定され、監視画面操作制御部６０に登録される。
【００６７】
ＲＰＡ部５４が監視画面２８のＧＵＩ部品２９を操作して設定パラメータの設定操作を行う際には（図４：ステップＳａ１０）、監視画面操作制御部６０が設定操作対象のＧＵＩ部品２９の座標を検出し、ＲＰＡ部５４は、この座標に対して設定操作を実行する。これにより、設定操作対象のＧＵＩ部品２９が配置されたサブウインドウの表示位置によらず、設定操作対象のＧＵＩ部品２９を確実に操作して設定パラメータを設定できるので、誤操作を防止でき、また、エネルギー管理を完遂できるようなる。
【００６８】
なお、操作対象ＧＵＩ部品探索機能によって対象ＧＵＩ部品２９の座標が検出されなかった場合に実行する処理（操作の中断処理やスキップ処理など）を、ユーザが予めシナリオデータ５６Ａに設定しておくことで、ＲＰＡ部５４による自動実行を、ユーザが意図した通りに確実に完了させることができる。
【００６９】
また、操作対象ＧＵＩ部品探索機能が、監視画面２８に表示されるウインドウを識別するウインドウ識別機能を備えてもよい。この場合において、ウインドウは、ウインドウに固有の情報（例えば、ハンドル名やタイトル、表示座標、サイズなど）に基づいて識別可能である。
そして、操作対象ＧＵＩ部品探索機能が操作対象のＧＵＩ部品２９を探索する際には、当該ＧＵＩ部品２９が配置されているサブウインドウをウインドウ識別機能によって特定した後に、当該サブウインドウの表示領域の範囲内でＧＵＩ部品２９の探索を実行する。
これにより、ＧＵＩ部品２９の探索範囲が絞られるので、より早く確実に目的のＧＵＩ部品２９の座標を検出でき、処理の高速化が図られる。
【００７０】
（１Ｂ）操作タイミング調整機能
一般に、中央監視コンピュータ１４において処理負荷が高い状態下では、監視画面２８に対する何らかの操作が行われた場合に、その操作が反映されるまでの時間（レスポンス時間）が通常よりも長くなる。例えば、中央監視コンピュータ１４では、バックグラウンドでのバックアップ処理や、所定のスケジュールにしたがったエネルギー使用設備８に対する発停処理、設定パラメータの設定処理、設備運用状態及び建物環境状態の監視処理、警報の発報処理といった処理が行われており、これらの幾つかの処理が重なった場合に、処理負荷が高まることがある。
【００７１】
ＲＰＡ部５４の自動実行においては、監視画面２８に対する操作後のレスポンス時間が長い場合、ユーザが意図した表示状態に監視画面２８の表示状態が遷移する前に、次の操作が自動実行され誤操作が生じる、という問題がある。
【００７２】
この問題に対して、例えば、ＲＰＡ部５４が、上述の画像チェック機能を備え、操作対象箇所に正しい操作対象の画像が表示されていない場合には、操作の自動実行を中断することで、誤操作を防止できる。しかしながら、この場合、ユーザが意図したエネルギー管理操作手順の自動実行が完了せず、ＲＰＡ部５４によるエネルギー管理が完遂されない。
【００７３】
また例えば、この問題に対して、ＲＰＡ部５４が自動実行する１つ１つの操作の間に、レスポンス時間を想定した待機時間を予め設けておくことで、誤操作の防止を図ることができる。しかしながら、この場合、レスポンス時間として想定される最長の時間が待機時間に設定される必要があり、一連の操作の完了に要する時間が非常に長くなる。このため、多くのエネルギー使用設備８について多量の設定パラメータの設定操作が必要な場合には、これらの設定操作を限られた時間内で完了することは非常に困難となる。
【００７４】
これらの問題を解消するために、本実施形態の監視画面操作制御部６０は、操作タイミング調整機能を備える。
操作タイミング調整機能は、ＲＰＡ部５４が監視画面２８に対して１つの操作を自動実行するごとに、この操作と対応付けて予め登録された登録画像が監視画面２８に表示されていることを条件に、ＲＰＡ部５４に次の操作を自動実行させる機能である。操作に対応付いた登録画像は、例えば設定ツール部５６を用いたユーザによる設定の際にＲＰＡ部５４によって特定され、監視画面操作制御部６０に登録される。この場合において、登録画像には、上記操作対象ＧＵＩ部品２９の画像が登録されてもよい。
【００７５】
そしてＲＰＡ部５４が監視画面２８のＧＵＩ部品２９を操作して設定パラメータを設定するという設定操作を自動実行する際には（図４：ステップＳａ１０）、一つのＧＵＩ部品２９に対する設定操作が自動実行されるごとに、当該設定操作に対応付けられた登録画像が表示されているか否かを、画像認識部５８の画像認識を用いて監視画面操作制御部６０が検出する。そして、監視画面操作制御部６０は、その登録画像の表示が検出されたときに、ＲＰＡ部５４に次の操作の自動実行を行わせる。
これにより、ある操作に対するレスポンス時間の長短にかかわらず、次の操作対象のＧＵＩ部品２９が表示された時点で速やかに操作の自動実行が開始されるので、誤操作を防止し、なおかつタイムロスのない確実な操作の自動実行が可能となる。
【００７６】
なお、操作タイミング調整機能によって登録画像の表示が一定時間以上に亘って検出されなかった場合に実行する処理（操作の中断処理やスキップ処理など）を、ユーザが予めシナリオデータ５６Ａに設定しておくことで、ＲＰＡ部５４による自動処理を、ユーザが意図した通りに確実に完了させることもできる。
【００７７】
（２）設定操作の高速化
設定処理の高速化は、ＲＰＡ部５４が監視画面２８に対して行う設定パラメータの設定操作を高速化することを指す。この設定処理の高速化は、監視画面操作制御部６０が、入力スキップ機能と、非表示処理機能と、を備えることで実現されている。
【００７８】
（２Ａ）入力スキップ機能
入力スキップ機能は、操作対象のＧＵＩ部品２９の操作によって設定する設定パラメータの設定値（すなわち、解析部５２の解析によって求められた設定値）が、その設定パラメータに既に設定されている現在値と一致している場合、当該ＧＵＩ部品２９に対する設定操作の自動実行をＲＰＡ部５４にスキップさせる機能である。
本実施形態では、一致とみなす値の判定幅が設定パラメータごとに予め監視画面操作制御部６０に設定されている。そしてＲＰＡ部５４が入力する設定パラメータの設定値と現在値との差が判定幅以内であれば、両者は一致すると監視画面操作制御部６０によって判定される。
【００７９】
また、本実施形態では、監視画面操作制御部６０は、設定パラメータの現在値を、監視画面２８の画像認識によって取得するのではなく、前回のエネルギー管理において、その設定パラメータに入力した値を参照して取得する。すなわち、監視画面操作制御部６０は、ＲＰＡ部５４が設定操作した設定パラメータと、その設定値とを記録する機能を有し、その記録を参照して設定パラメータの現在値を取得する。これにより、設定パラメータの各々の現在値の取得に要する時間が短縮され、処理を高速化できる。
【００８０】
ＲＰＡ部５４が監視画面２８のＧＵＩ部品２９を操作して設定パラメータの設定操作を行う際には（図４：ステップＳａ１０）、監視画面操作制御部６０が、各設定パラメータについて、その現在値と設定値とが一致するか否かを判定する。そして、両者が一致する場合、監視画面操作制御部６０は、その設定パラメータの設定操作をＲＰＡ部５４にスキップさせる。
これにより、ＲＰＡ部５４による設定操作の回数が抑えられるので、全ての設定パラメータの設定操作を完了するまでの時間を短縮することができ、また、限られた時間で、より多くの設定操作を実行することができる。
【００８１】
（２Ｂ）非表示処理機能
非表示処理機能は、ＲＰＡ部５４が設定パラメータの設定操作を自動実行している間（図４：ステップＳａ１０）、監視画面操作制御部６０がＯＳ４０に監視画面２８の描画処理を停止させ、表示装置３４への監視画面２８の表示を非表示とする機能である。
これにより、監視画面２８の描画処理の分だけエネルギー管理コンピュータ３０における処理負荷、及び処理時間を低減され、設定操作の自動実行が高速化される。この場合において、監視画面操作制御部６０は、ＲＰＡ部５４の動作状況をユーザが確認可能にするために、当該動作状況を簡易的に示す表示画面を表示装置３４に表示してもよい。
【００８２】
本実施形態によれば、次のような効果を奏する。
【００８３】
本実施形態において、エネルギー管理コンピュータ３０は、中央監視装置１２に通信ネットワークＮＷを介してリモートデスクトップ接続して遠隔操作するので、中央監視装置１２の監視画面２８を取得し、また操作するための別途の装置が不要となり、遠隔操作のためのシステム構成を簡略化することができ、また、その分、メンテナンス性、及び信頼性が向上する。
さらに、中央監視装置１２の中央監視コンピュータ１４のＯＳ２０上で遠隔操作が行われることから、中央監視アプリケーション２２の仕様やベンダーによらず、当該中央監視アプリケーション２２を確実、かつ容易に、エネルギー管理コンピュータ３０から操作できる。
また、エネルギー管理コンピュータ３０にあっては、入力Ｉ／Ｆ部５２Ａが解析部５２に入力する際の入力情報の種類やデータ形式、及び、解析部５２の解析結果を出力Ｉ／Ｆ部５２Ｂが出力する際の種類やデータ形式を、中央監視アプリケーション２２の仕様に合わせて変更することで、任意の仕様の中央監視コンピュータ１４に対応できるようになる。
さらに、エネルギー管理コンピュータ３０では、ＲＰＡ部５４が、エネルギー管理に要するエネルギー管理操作手順を自動実行するので、エネルギー管理者の労力を大幅に低減できる。また、省エネルギー化のための解析と、中央監視装置１２からの情報取得、及び設定値の設定とが同じエネルギー管理コンピュータ３０で行われるので、従前に比べて、一連の処理を短時間に完了させることができる。
【００８４】
本実施形態において、エネルギー管理コンピュータ３０は、中央監視コンピュータ１４からエネルギー使用設備の設備運用状態に係るデータ（解析部５２での解析に要する入力情報）を取得する場合、リモートデスクトップを接続を通じて中央監視コンピュータ１４のストレージ（記憶装置）に蓄積されているデータから取得する。
これにより、大量の入力情報を迅速に取得でき、当該入力情報の取得に要する時間を大きく短縮できる。
【００８５】
本実施形態において、ＲＰＡ部５４は、データ蓄積部２５に蓄積されたデータが古い場合、中央監視コンピュータ１４における監視画面２８を画像認識部５８により画像認識し、この画像認識の結果に基づいて最新の入力情報を取得するので、解析部５２の解析に用いられる入力情報の鮮度が適切に維持される。
【００８６】
本実施形態において、ＲＰＡ部５４は、予め設定されたスケジュールにしたがって自動実行を開始するので、エネルギー管理者などのユーザが最初に設定するだけで、最適な頻度でエネルギー管理を繰り返し実行させることができる。
【００８７】
本実施形態において、ＲＰＡ部５４は、エネルギー管理操作手順に含まれる操作ごとに、当該操作の対象となるＧＵＩ部品２９の座標を、監視画面２８の中から検出し、当該座標に対して当該操作を自動実行する。
これにより、操作対象のＧＵＩ部品２９の表示位置によらず、当該ＧＵＩ部品２９を確実に自動操作して設定パラメータを設定できるので、誤操作を防止でき、また、エネルギー管理を完遂できるようなる。
【００８８】
本実施形態において、ＲＰＡ部５４は、エネルギー操作手順に含まれる操作を自動実行するごとに、当該操作と対応付けて予め登録されている登録画像が監視画面２８に表示されていることを条件に、次の操作を自動実行する。
これにより、ある操作に対する中央監視装置１２のレスポンス時間の長短にかかわらず、次の操作対象のＧＵＩ部品２９が表示された時点で速やかに操作の自動実行が開始されるので、誤操作を防止し、なおかつタイムロスのない確実な操作の自動実行が可能となる。
【００８９】
本実施形態において、ＲＰＡ部５４は、解析部が求めた設定値と、既に設定されている現在値とが一致する場合には、当該設定値を設定するために監視画面２８に対して行う操作をスキップする。
これにより、ＲＰＡ部５４による設定操作の回数が抑えられるので、全ての設定パラメータの設定操作を完了するまでの時間を短縮することができ、また、限られた時間で、より多くの設定操作を実行することができる。
【００９０】
なお、上述した実施形態は、あくまでも本発明の一態様の例示であり、本発明の主旨を逸脱しない範囲において任意に変形、及び応用が可能である。
【００９１】
（変形例１）
上述した実施形態において、エネルギー管理コンピュータ３０から中央監視コンピュータ１４のデータ蓄積部２５のデータに何らかの理由によってアクセス不能な場合には、画像認識部５８の画像認識によって入力情報を取得してもよい。
また、データ蓄積部２５のデータにアクセス不能であることが当初から既知であるなどの事情がある場合は、エネルギー管理コンピュータ３０は、データ蓄積部２５からデータを取得する構成を必ずしも備える必要はなく、画像認識部５８の画像認識を用いて入力情報を取得してもよい。
【００９２】
（変形例２）
上述した実施形態において、監視画面操作制御部６０は、設定パラメータに設定する設定値が現在値から所定値以上乖離している場合、ＲＰＡ部５４による当該当該設定値の設定操作をキャンセルする設定キャンセル機能を備えてもよい。この所定値は、設定値が誤っていると見做せる値であり、設定パラメータごとに予めユーザによって設定されている。
【００９３】
本変形例によれば、誤った設定値が設定されてしまうことが防止され、エネルギー使用設備８の設備運用状態の安定性を確保できる。
【００９４】
（変形例３）
上述した実施形態において、エネルギー管理コンピュータ３０は、中央監視コンピュータ１４においてデータ蓄積部２５にデータが更新保存されたタイミングに合わせて、ＲＰＡ部５４がエネルギー管理操作手順を自動実行してもよい。
【００９５】
（変形例４）
上述した実施形態において、ＲＰＡ部５４の監視画面操作制御部６０は、ＲＰＡ部５４が１つの操作を自動実行する前に、当該操作の要否を判定し、操作が不要な場合は、ＲＰＡ部５４に当該操作の自動実行をスキップさせる不要操作スキップ機能を備えてもよい。操作の要否は、その操作によって得られる結果が監視画面２８に表示されているか否かに基づいて判定される。
【００９６】
例えば、ＲＰＡ部５４が、あるエネルギー使用設備８の運転開始操作を自動実行する場合、監視画面操作制御部６０は、監視画面２８を画像認識し、そのエネルギー使用設備８の運転状態が既に「運転中」であった、ＲＰＡ部５４に、その運転開始操作をスキップさせる。
また例えば、ＲＰＡ部５４が、監視画面２８に対しサブウインドウを表示させる操作を自動実行する場合、監視画面操作制御部６０は、監視画面２８を画像認識し、そのサブウインドウが既に表示されているときには、ＲＰＡ部５４に、その操作をスキップさせる。
【００９７】
本変形例によれば、ＲＰＡ部５４の自動実行において、不要な操作をスキップできるので、ＲＰＡ部５４による自動実行時間を短縮することができる。
【００９８】
（変形例５）
上述した実施形態において、ＲＰＡ部５４は、監視画面２８への設定値の設定操作の自動実行を完了した後（図４：ステップＳａ１０）、画像認識部５８を用いて各設定パラメータに正しく設定値が設定されているかを確認する第４操作手順を自動実行する設定値確認機能を備えてもよい。この第４操作手順には、誤った設定値が設定されていることが確認された場合に、正しい設定値を設定する、という操作を含めることもできる。
【００９９】
本変形例によれば、仮に誤った設定値がＲＰＡ部５４によって設定された場合でも、速やかに正しい設定値に修正できる。
【０１００】
（変形例６）
上述した実施形態において、ＲＰＡ部５４は、何らかの理由によってシナリオデータ５６Ａの自動実行を中断したときに、別のシナリオデータ（すなわち、別の操作手順）を自動実行する別シナリオ実行機能を備えてもよい。
別のシナリオデータは、ＲＰＡ部５４の自動実行が中断されたときに、実行されるべき操作手順を記録したものであり、ユーザなどによって設定ツール部５６を用いて予め設定され、当該設定ツール部５６に保持されている。かかる操作手順の例としては、中央監視コンピュータ１４からアラームを発報する操作手順や、許容時間内等の所定の条件下でシナリオデータ５６Ａの操作手順をリトライする操作手順といったものがある。
【０１０１】
本変形例によれば、ＲＰＡ部５４の自動実行が中断された場合でも、ユーザの意図通りの操作を自動実行させ、不測の事態の発生に速やかに対処できる。
【０１０２】
（変形例７）
上述した実施形態において、ＲＰＡ部５４は、設定ツール部５６による設定において、１つ１つの操作ごとに任意の戻り値を設定可能とし、戻り値ごとに、次に行う操作を設定可能にしてもよい。操作ごとに任意の戻り値が設定可能になることで、ユーザは、操作結果に応じた複雑な操作手順をエネルギー管理操作手順として自動実行させることができ、より複雑なエネルギー管理を自動で実現できる。
【０１０３】
詳述すると、監視画面２８に対する操作内容によっては、ある操作の結果に応じて、次に実行すべき操作が異なる場合がある。例えば、空気調和装置の運転モード（冷房モード／暖房モード／乾燥モード）を取得する操作の後、設定温度の設定パラメータに、運転モードに応じて適切な設定値を設定操作する場合である。この場合、設定ツール部５６の設定時には、空気調和装置の運転モードの取得操作に対し、運転モードごとに戻り値が適宜に設定され、そして、戻り値ごとに（すなわち運転モードごとに）、適切な設定温度を設定する設定操作が設定される。これにより、例えば運転モードが冷房モードの場合は設定温度を２８℃に設定し、暖房モードの場合は設定温度を２０℃に設定する、といった複雑な設定温度操作も自動で設定可能になる。
【０１０４】
このように、本変形例によれば、操作の戻り値に応じて、異なる操作を次に自動実行させることができるので、複雑な操作の自動化が可能となり、より高度なエネルギー管理を実現できる。
【０１０５】
（変形例８）
上述した実施形態において、ＲＰＡ部５４は、エネルギー使用設備８の所定グループごとに設定された複数のシナリオデータ５６Ａを、順次に自動実行する複数シナリオデータ実行機能を備えてもよい。
エネルギー使用設備８のグループは、例えば、エネルギー管理における重要度（例えば、省エネルギー化への寄与度、建物２の運営・維持における重要度）に基づいて分類され、又は、同一表示の監視画面２８に対して上記第３操作手順（すなわち、設定値の設定操作）が実行可能な設備ごとに分類されている。
【０１０６】
本変形例によれば、１つのシナリオデータにおいて、設定操作対象のエネルギー使用設備８の数を減らすことができるので、情報取得、解析実行、及び解析結果に基づく設定操作の一連のエネルギー管理操作手順の実行時間を短縮できる。
また、エネルギー管理における重要度に基づいてグループ分けされたエネルギー使用設備８ごとにシナリオデータを設定することで、重要度が高いエネルギー使用設備８の設備運転状態を短時間で制御できるようになる。
また監視画面２８において同一表示ページで設定操作可能なエネルギー使用設備８ごとにシナリオデータを設定することで、１つのシナリオデータを実行した際に、設定操作（図４：ステップＳａ１０）の完了に要する時間を短縮できる。
【０１０７】
（変形例９）
上述した実施形態において、解析部５２は、建物２におけるエネルギー使用状況の合理性を評価し、この評価結果に基づいて、省エネルギー化のための各エネルギー使用設備８の設定値を求めてもよい。かかる合理性の判断手法については、例えば特開２００３−１６２５７３号公報、及び国際公開第２０１０／０９２８０５号に開示された技術を用いることができる。
また解析部５２の解析に、ＡＩ（Artificial Intelligence）技術を用いてもよい。
また、上述した実施形態では、解析部５２がエネルギー使用設備８の設備運用状態、エネルギー消費量、及び、建物環境状態に基づいて省エネルギー化のための解析を行う場合を例示したが、必ずしも、これら全ての情報が解析に用いられる必要はなく、例えば、エネルギー使用設備８の設備運用状態だけで解析が行われてもよい。
【０１０８】
（変形例１０）
上述した実施形態において、建物２には、ＢＡＳの代わりにＢＥＭＳ（Building and Energy Management System）が設けられていてもよい。
【０１０９】
（変形例１１）
上述した実施形態において、エネルギー管理アプリケーション４４を中央監視コンピュータ１４にインストールし、当該中央監視コンピュータ１４がエネルギー管理アプリケーション４４を実行することで、エネルギー管理コンピュータ３０と同様に、建物２のエネルギー管理を自動実行してもよい。
【０１１０】
（変形例１２）
上述した実施形態において、エネルギー管理コンピュータ３０は、中央監視コンピュータ１４にリモートデスクトップ接続し、当該中央監視コンピュータ１４のデータ蓄積部２５にアクセスしてデータを取得するようにした。
しかしながら、エネルギー管理コンピュータ３０と中央監視コンピュータ１４とがＶＰＮ（Virtual Private Network）接続されるなどして同一のＬＡＮに属する場合には、リモートデスクトップ接続ではなく、次のようにして、エネルギー管理コンピュータ３０は中央監視コンピュータ１４からデータを取得してもよい。すなわち、中央監視コンピュータ１４は、データ蓄積部２５を同一ＬＡＮ内のエネルギー管理コンピュータ３０と例えばＳＭＢ（Server Message Block）プロトコルを用いて共有し、或いは、同一ＬＡＮ内のエネルギー管理コンピュータ３０と共有する共有フォルダ、又はＮＡＳ（Network-Attached Storage）にデータ蓄積部２５のデータを格納する。そして、エネルギー管理コンピュータ３０は、共有されているデータ蓄積部２５、共有フォルダ、或いはＮＡＳからデータを取得する。
【０１１１】
なお、上述した実施形態、及び各変形例は、技術的に明らかな矛盾を生じさせない限り、適宜に組み合わせることができる。
また上述した実施形態において、図２、及び図３に示す機能ブロックは、本願発明を理解容易にするために、機能構成を主な処理内容に応じて分類して示した概略図であり、処理内容に応じて、さらに多くの構成要素に分類することもできる。また、１つの構成要素がさらに多くの処理を実行するように分類することもできる。
【符号の説明】
【０１１２】
１  遠隔管理システム
２  建物
４  中央監視システム
６  エネルギー管理装置
８  エネルギー使用設備
９  設備計測装置
１０  環境計測装置
１２  中央監視装置
１４  中央監視コンピュータ
２２  中央監視アプリケーション
２４  リモートデスクトップサーバ
２５  データ蓄積部
２８  監視画面
２９  ＧＵＩ部品
３０  エネルギー管理コンピュータ
４２  リモートデスクトップクライアント（リモートデスクトップクライアント部）
４４  エネルギー管理アプリケーション
５２  解析部
５４  ＲＰＡ部
５６  設定ツール部
５６Ａ  シナリオデータ
５７  データ取得部
５８  画像認識部
６０  監視画面操作制御部
ＮＷ  通信ネットワーク
【図１】
2020043701.tif 000003
【図２】
2020043701.tif 000004
【図３】
2020043701.tif 000005
【図４】
2020043701.tif 000006
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と通信ネットワークを介して通信し、前記建物のエネルギー管理を実行するエネルギー管理コンピュータであって、
リモートデスクトップサーバの機能を有した前記中央監視装置に、前記通信ネットワークを介してリモートデスクトップ接続することで前記エネルギー使用設備の設備運用状態の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、
前記ＲＰＡ部は、
前記中央監視装置から前記エネルギー使用設備の設備運用状態を取得する第１操作手順、
前記設備運用状態を前記解析部に入力し解析を実行させる第２操作手順、及び、
前記解析部が求めた設定値を前記中央監視装置に設定するために前記入力デバイスを用いて前記監視画面に対して行う第３操作手順を自動実行する
ことを特徴とするエネルギー管理コンピュータ。
【請求項２】
前記リモートデスクトップクライアント部は、
仕様またはベンダーが異なる中央監視アプリケーションを実行する前記中央監視装置と通信し、
前記ＲＰＡ部は、
前記中央監視装置において前記第１操作手順、第２操作手順、及び第３操作手順を自動実行することで、前記建物のエネルギー管理を行う
ことを特徴とする請求項１に記載のエネルギー管理コンピュータ。
【請求項３】
前記第１操作手順では、前記エネルギー使用設備の設備運用状態に係るデータを、前記中央監視装置の記憶装置に蓄積されているデータから取得する
ことを特徴とする請求項１または２に記載のエネルギー管理コンピュータ。
【請求項４】
前記ＲＰＡ部は、
前記監視画面を画像認識する画像認識部を備え、
前記第１操作手順では、前記画像認識の結果に基づいて前記エネルギー使用設備の設備運用状態を取得する
ことを特徴とする請求項１から３のいずれかに記載のエネルギー管理コンピュータ。
【請求項５】
前記第１操作手順では、前記エネルギー使用設備の設備運用状態に係るデータを、前記中央監視装置の記憶装置に蓄積されているデータから取得し、
当該データが古い場合に、前記画像認識の結果に基づいて前記エネルギー使用設備の設備運用状態を取得する
ことを特徴とする請求項４に記載のエネルギー管理コンピュータ。
【請求項６】
前記ＲＰＡ部は、
予め設定されたスケジュールにしたがって自動実行を開始する
ことを特徴とする請求項１から５のいずれかに記載のエネルギー管理コンピュータ。
【請求項７】
前記ＲＰＡ部は、
前記第１操作手順、前記第２操作手順、及び前記第３操作手順に含まれる操作ごとに、当該操作の対象となるＧＵＩ部品の座標を、前記監視画面の中から検出し、当該座標に対して当該操作を自動実行する
ことを特徴とする請求項１から６のいずれかに記載のエネルギー管理コンピュータ。
【請求項８】
前記ＲＰＡ部は、
前記第１操作手順、前記第２操作手順、及び前記第３操作手順に含まれる操作を自動実行するごとに、当該操作と対応付けて予め登録されている画像が前記監視画面に表示されていることを条件に、次の操作を自動実行する
ことを特徴とする請求項１から７のいずれかに記載のエネルギー管理コンピュータ。
【請求項９】
前記ＲＰＡ部は、
前記解析部が求めた設定値と、既に設定されている現在値とが一致する場合には、当該設定値を設定するための前記監視画面に対する操作をスキップする
ことを特徴とする請求項１から８のいずれかに記載のエネルギー管理コンピュータ。
【請求項１０】
前記ＲＰＡ部は、
前記解析部が求めた設定値と、既に設定されている現在値とが、当該設定値が誤っていると見做せる所定値以上乖離している場合には、当該設定値を設定するための前記監視画面に対する操作をスキップする
ことを特徴とする請求項１から９のいずれかに記載のエネルギー管理コンピュータ。
【請求項１１】
前記ＲＰＡ部は、
前記第１操作手順、前記第２操作手順、及び前記第３操作手順に含まれる操作ごとに、当該操作の自動実行の前に、当該操作によって得られる結果が前記監視画面に表示されているか否かを判定し、当該結果が表示されている場合には、当該操作の自動実行をスキップする
ことを特徴とする請求項１から１０のいずれかに記載のエネルギー管理コンピュータ。
【請求項１２】
前記ＲＰＡ部は、
前記第１操作手順、第２操作手順、及び第３操作手順の自動実行を完了した後、前記監視画面の表示に基づいて、前記解析部が求めた設定値が正しく設定されていることを確認する第４操作手順を自動実行する
ことを特徴とする請求項１から１１のいずれかに記載のエネルギー管理コンピュータ。
【請求項１３】
前記ＲＰＡ部は、
前記第１操作手順、第２操作手順、又は前記第３操作手順の自動実行が中断された場合、予め設定された別の操作手順を自動実行する
ことを特徴とする請求項１から１１のいずれかに記載のエネルギー管理コンピュータ。
【請求項１４】
前記第１操作手順、前記第２操作手順、及び前記第３操作手順には、前記操作ごとに戻り値が予め設定され、当該戻り値ごとに次の操作が設定されており、
前記ＲＰＡ部は、
前記第１操作手順、前記第２操作手順、及び前記第３操作手順に含まれる操作を自動実行するごとに、当該操作の自動実行によって得られた戻り値に対応する次の操作を自動実行する
ことを特徴とする請求項１から１３のいずれかに記載のエネルギー管理コンピュータ。
【請求項１５】
前記ＲＰＡ部は、
前記第１操作手順、第２操作重点、及び前記第３操作手順を、
エネルギー管理における重要度に基づいて分けられた前記エネルギー使用設備のグループ、又は、同一の前記監視画面に対して前記第３操作手順を実行可能な前記エネルギー使用設備のグループごとに自動実行する、
ことを特徴とする請求項１から１４のいずれかに記載のエネルギー管理コンピュータ。
【請求項１６】
建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と、
通信ネットワークを介して前記中央監視装置と通信し、前記建物のエネルギー管理を実行するエネルギー管理コンピュータと、
を備え、
前記中央監視装置は、
リモートデスクトップサーバの機能を有し、
前記エネルギー管理コンピュータは、
前記中央監視装置に前記通信ネットワークを介してリモートデスクトップ接続することで前記エネルギー使用設備の設備運用状態の取得、前記監視画面の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、
前記ＲＰＡ部は、
前記中央監視装置から前記エネルギー使用設備の設備運用状態を取得する第１操作手順、
前記設備運用状態を前記解析部に入力し解析を実行させる第２操作手順、及び、
前記解析部が求めた設定値を前記中央監視装置に設定するために前記入力デバイスを用いて前記監視画面に対して行う第３操作手順を自動実行する
ことを特徴とする遠隔管理システム。
【手続補正２】
【補正対象書類名】明細書
【補正対象項目名】０００７
【補正方法】変更
【補正の内容】
【０００７】
本発明は、建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と通信ネットワークを介して通信し、前記建物のエネルギー管理を実行するエネルギー管理コンピュータであって、リモートデスクトップサーバの機能を有した前記中央監視装置に、前記通信ネットワークを介してリモートデスクトップ接続することで前記エネルギー使用設備の設備運用状態の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、前記ＲＰＡ部は、前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順を自動実行することを特徴とする。
本発明は、上記エネルギー管理コンピュータにおいて、前記リモートデスクトップクライアント部は、仕様またはベンダーが異なる中央監視アプリケーションを実行する前記中央監視装置と通信し、前記ＲＰＡ部は、前記中央監視装置において前記第１操作手順、第２操作手順、及び第３操作手順を自動実行することで、前記建物のエネルギー管理を行うことを特徴とする。
【手続補正３】
【補正対象書類名】明細書
【補正対象項目名】０００８
【補正方法】変更
【補正の内容】
【０００８】
本発明は、上記エネルギー管理コンピュータにおいて、前記第１操作手順では、前記エネルギー使用設備の設備運用状態に係るデータを、前記中央監視装置の記憶装置に蓄積されているデータから取得することを特徴とする。
【手続補正４】
【補正対象書類名】明細書
【補正対象項目名】００１２
【補正方法】変更
【補正の内容】
【００１２】
本発明は、上記エネルギー管理コンピュータにおいて、前記ＲＰＡ部は、前記第１操作手順、前記第２操作手順、及び前記第３操作手順に含まれる操作ごとに、当該操作の対象となるＧＵＩ部品の座標を、前記監視画面の中から検出し、当該座標に対して当該操作を自動実行することを特徴とする。
【手続補正５】
【補正対象書類名】明細書
【補正対象項目名】００１３
【補正方法】変更
【補正の内容】
【００１３】
本発明は、上記エネルギー管理コンピュータにおいて、前記ＲＰＡ部は、前記第１操作手順、前記第２操作手順、及び前記第３操作手順に含まれる操作を自動実行するごとに、当該操作と対応付けて予め登録されている画像が前記監視画面に表示されていることを条件に、次の操作を自動実行することを特徴とする。
【手続補正６】
【補正対象書類名】明細書
【補正対象項目名】００１６
【補正方法】変更
【補正の内容】
【００１６】
本発明は、上記エネルギー管理コンピュータにおいて、前記ＲＰＡ部は、前記第１操作手順、前記第２操作手順、及び前記第３操作手順に含まれる操作ごとに、当該操作の自動実行の前に、当該操作によって得られる結果が前記監視画面に表示されているか否かを判定し、当該結果が表示されている場合には、当該操作の自動実行をスキップすることを特徴とする。
【手続補正７】
【補正対象書類名】明細書
【補正対象項目名】００１７
【補正方法】変更
【補正の内容】
【００１７】
本発明は、上記エネルギー管理コンピュータにおいて、前記ＲＰＡ部は、前記第１操作手順、第２操作手順、及び第３操作手順の自動実行を完了した後、前記監視画面の表示に基づいて、前記解析部が求めた設定値が正しく設定されていることを確認する第４操作手順を自動実行することを特徴とする。
【手続補正８】
【補正対象書類名】明細書
【補正対象項目名】００１８
【補正方法】変更
【補正の内容】
【００１８】
本発明は、上記エネルギー管理コンピュータにおいて、前記ＲＰＡ部は、前記第１操作手順、第２操作手順、又は前記第３操作手順の自動実行が中断された場合、予め設定された別の操作手順を自動実行することを特徴とする。
【手続補正９】
【補正対象書類名】明細書
【補正対象項目名】００１９
【補正方法】変更
【補正の内容】
【００１９】
本発明は、上記エネルギー管理コンピュータにおいて、前記第１操作手順、前記第２操作手順、及び前記第３操作手順には、前記操作ごとに戻り値が予め設定され、当該戻り値ごとに次の操作が設定されており、前記ＲＰＡ部は、前記第１操作手順、前記第２操作手順、及び前記第３操作手順に含まれる操作を自動実行するごとに、当該操作の自動実行によって得られた戻り値に対応する次の操作を自動実行することを特徴とする。
【手続補正１０】
【補正対象書類名】明細書
【補正対象項目名】００２０
【補正方法】変更
【補正の内容】
【００２０】
本発明は、上記エネルギー管理コンピュータにおいて、前記ＲＰＡ部は、前記第１操作手順、第２操作重点、及び前記第３操作手順を、エネルギー管理における重要度に基づいて分けられた前記エネルギー使用設備のグループ、又は、同一の前記監視画面に対して前記第３操作手順を実行可能な前記エネルギー使用設備のグループごとに自動実行する
ことを特徴とする。
【手続補正１１】
【補正対象書類名】明細書
【補正対象項目名】００２１
【補正方法】変更
【補正の内容】
【００２１】
本発明は、建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と、通信ネットワークを介して前記中央監視装置と通信し、前記建物のエネルギー管理を実行するエネルギー管理コンピュータと、を備え、前記中央監視装置は、リモートデスクトップサーバの機能を有し、前記エネルギー管理コンピュータは、前記中央監視装置に前記通信ネットワークを介してリモートデスクトップ接続することで前記エネルギー使用設備の設備運用状態の取得、前記監視画面の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、前記ＲＰＡ部は、前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順を自動実行することを特徴とする遠隔管理システムを提供する。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と通信ネットワークを介して通信し、前記建物のエネルギー管理を実行するエネルギー管理コンピュータであって、
リモートデスクトップサーバの機能を有した前記中央監視装置に、前記通信ネットワークを介してリモートデスクトップ接続することで前記エネルギー使用設備の設備運用状態の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、
前記ＲＰＡ部は、
前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順のそれぞれを、前記入力デバイスを介さずに自動実行する
ことを特徴とするエネルギー管理コンピュータ。
【請求項２】
前記リモートデスクトップクライアント部は、
仕様またはベンダーが異なる中央監視アプリケーションを実行する前記中央監視装置と通信し、
前記ＲＰＡ部は、
前記中央監視装置において前記第１操作手順、前記第２操作手順、及び前記第３操作手順を自動実行することで、前記建物のエネルギー管理を行う
ことを特徴とする請求項１に記載のエネルギー管理コンピュータ。
【請求項３】
前記第１操作手順では、前記エネルギー使用設備の設備運用状態に係るデータを、前記中央監視装置の記憶装置に蓄積されているデータから取得する
ことを特徴とする請求項１または２に記載のエネルギー管理コンピュータ。
【請求項４】
前記ＲＰＡ部は、
前記監視画面を画像認識する画像認識部を備え、
前記第１操作手順では、前記画像認識の結果に基づいて前記エネルギー使用設備の設備運用状態を取得する
ことを特徴とする請求項１から３のいずれかに記載のエネルギー管理コンピュータ。
【請求項５】
前記第１操作手順では、前記エネルギー使用設備の設備運用状態に係るデータを、前記中央監視装置の記憶装置に蓄積されているデータから取得し、
当該データが古い場合に、前記画像認識の結果に基づいて前記エネルギー使用設備の設備運用状態を取得する
ことを特徴とする請求項４に記載のエネルギー管理コンピュータ。
【請求項６】
前記ＲＰＡ部は、
予め設定されたスケジュールにしたがって自動実行を開始する
ことを特徴とする請求項１から５のいずれかに記載のエネルギー管理コンピュータ。
【請求項７】
前記ＲＰＡ部は、
前記第１操作手順、前記第２操作手順、及び前記第３操作手順に含まれる操作ごとに、当該操作の対象となるＧＵＩ部品の座標を、前記監視画面の中から検出し、当該座標に対して当該操作を自動実行する
ことを特徴とする請求項１から６のいずれかに記載のエネルギー管理コンピュータ。
【請求項８】
前記ＲＰＡ部は、
前記第１操作手順、前記第２操作手順、及び前記第３操作手順に含まれる操作を自動実行するごとに、当該操作と対応付けて予め登録されている画像が前記監視画面に表示されていることを条件に、次の操作を自動実行する
ことを特徴とする請求項１から７のいずれかに記載のエネルギー管理コンピュータ。
【請求項９】
前記ＲＰＡ部は、
前記解析部が求めた設定値と、既に設定されている現在値とが一致する場合には、当該設定値を設定するための前記監視画面に対する操作をスキップする
ことを特徴とする請求項１から８のいずれかに記載のエネルギー管理コンピュータ。
【請求項１０】
前記ＲＰＡ部は、
前記解析部が求めた設定値と、既に設定されている現在値とが、当該設定値が誤っていると見做せる所定値以上乖離している場合には、当該設定値を設定するための前記監視画面に対する操作をスキップする
ことを特徴とする請求項１から９のいずれかに記載のエネルギー管理コンピュータ。
【請求項１１】
前記ＲＰＡ部は、
前記第１操作手順、前記第２操作手順、及び前記第３操作手順に含まれる操作ごとに、当該操作の自動実行の前に、当該操作によって得られる結果が前記監視画面に表示されているか否かを判定し、当該結果が表示されている場合には、当該操作の自動実行をスキップする
ことを特徴とする請求項１から１０のいずれかに記載のエネルギー管理コンピュータ。
【請求項１２】
前記ＲＰＡ部は、
前記第１操作手順、前記第２操作手順、及び前記第３操作手順の自動実行を完了した後、前記監視画面の表示に基づいて、前記解析部が求めた設定値が正しく設定されていることを確認する第４操作手順を自動実行する
ことを特徴とする請求項１から１１のいずれかに記載のエネルギー管理コンピュータ。
【請求項１３】
前記ＲＰＡ部は、
前記第１操作手順、前記第２操作手順、又は前記第３操作手順の自動実行が中断された場合、予め設定された別の操作手順を自動実行する
ことを特徴とする請求項１から１１のいずれかに記載のエネルギー管理コンピュータ。
【請求項１４】
前記第１操作手順、前記第２操作手順、及び前記第３操作手順には、前記操作ごとに戻り値が予め設定され、当該戻り値ごとに次の操作が設定されており、
前記ＲＰＡ部は、
前記第１操作手順、前記第２操作手順、及び前記第３操作手順に含まれる操作を自動実行するごとに、当該操作の自動実行によって得られた戻り値に対応する次の操作を自動実行する
ことを特徴とする請求項１から１３のいずれかに記載のエネルギー管理コンピュータ。
【請求項１５】
前記ＲＰＡ部は、
前記第１操作手順、前記第２操作手順、及び前記第３操作手順を、
エネルギー管理における重要度に基づいて分けられた前記エネルギー使用設備のグループ、又は、同一の前記監視画面に対して前記第３操作手順を実行可能な前記エネルギー使用設備のグループごとに自動実行する、
ことを特徴とする請求項１から１４のいずれかに記載のエネルギー管理コンピュータ。
【請求項１６】
建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と、
通信ネットワークを介して前記中央監視装置と通信し、前記建物のエネルギー管理を実行するエネルギー管理コンピュータと、
を備え、
前記中央監視装置は、
リモートデスクトップサーバの機能を有し、
前記エネルギー管理コンピュータは、
前記中央監視装置に前記通信ネットワークを介してリモートデスクトップ接続することで前記エネルギー使用設備の設備運用状態の取得、前記監視画面の取得、及び前記中央監視装置への操作入力を可能にするリモートデスクトップクライアント部と、
前記エネルギー使用設備の設備運用状態に基づいて、前記建物の省エネルギー化を実現する前記エネルギー使用設備の設定パラメータの設定値を求める解析部と、
ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、
前記ＲＰＡ部は、
前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順のそれぞれを、前記入力デバイスを介さずに自動実行する
ことを特徴とする遠隔管理システム。
【手続補正２】
【補正対象書類名】明細書
【補正対象項目名】０００７
【補正方法】変更
【補正の内容】
【０００７】
本発明は、建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と通信ネットワークを介して通信し、前記建物のエネルギー管理を実行するエネルギー管理コンピュータであって、リモートデスクトップサーバの機能を有した前記中央監視装置に、前記通信ネットワークを介してリモートデスクトップ接続することで前記エネルギー使用設備の設備運用状態の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、前記ＲＰＡ部は、前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順のそれぞれを、前記入力デバイスを介さずに自動実行することを特徴とする。
本発明は、上記エネルギー管理コンピュータにおいて、前記リモートデスクトップクライアント部は、仕様またはベンダーが異なる中央監視アプリケーションを実行する前記中央監視装置と通信し、前記ＲＰＡ部は、前記中央監視装置において前記第１操作手順、前記第２操作手順、及び前記第３操作手順を自動実行することで、前記建物のエネルギー管理を行うことを特徴とする。
【手続補正３】
【補正対象書類名】明細書
【補正対象項目名】００１７
【補正方法】変更
【補正の内容】
【００１７】
本発明は、上記エネルギー管理コンピュータにおいて、前記ＲＰＡ部は、前記第１操作手順、前記第２操作手順、及び前記第３操作手順の自動実行を完了した後、前記監視画面の表示に基づいて、前記解析部が求めた設定値が正しく設定されていることを確認する第４操作手順を自動実行することを特徴とする。
【手続補正４】
【補正対象書類名】明細書
【補正対象項目名】００１８
【補正方法】変更
【補正の内容】
【００１８】
本発明は、上記エネルギー管理コンピュータにおいて、前記ＲＰＡ部は、前記第１操作手順、前記第２操作手順、又は前記第３操作手順の自動実行が中断された場合、予め設定された別の操作手順を自動実行することを特徴とする。
【手続補正５】
【補正対象書類名】明細書
【補正対象項目名】００２０
【補正方法】変更
【補正の内容】
【００２０】
本発明は、上記エネルギー管理コンピュータにおいて、前記ＲＰＡ部は、前記第１操作手順、前記第２操作手順、及び前記第３操作手順を、エネルギー管理における重要度に基づいて分けられた前記エネルギー使用設備のグループ、又は、同一の前記監視画面に対して前記第３操作手順を実行可能な前記エネルギー使用設備のグループごとに自動実行する、ことを特徴とする。
【手続補正６】
【補正対象書類名】明細書
【補正対象項目名】００２１
【補正方法】変更
【補正の内容】
【００２１】
本発明は、建物に設けられたエネルギー使用設備の設備運用状態を示す監視画面を表示し、当該エネルギー使用設備の設定パラメータを設定するために前記監視画面に対して入力デバイスを用いて行われる操作を受け付ける中央監視装置と、通信ネットワークを介して前記中央監視装置と通信し、前記建物のエネルギー管理を実行するエネルギー管理コンピュータと、を備え、前記中央監視装置は、リモートデスクトップサーバの機能を有し、前記エネルギー管理コンピュータは、前記中央監視装置に前記通信ネットワークを介してリモートデスクトップ接続することで前記エネルギー使用設備の設備運用状態の取得、前記監視画面の取得、及び前記中央監視装置への操作入力を可能にするリモートデスクトップクライアント部と、前記エネルギー使用設備の設備運用状態に基づいて、前記建物の省エネルギー化を実現する前記エネルギー使用設備の設定パラメータの設定値を求める解析部と、ＲＰＡを用いることで、前記リモートデスクトップ接続されている前記中央監視装置の前記監視画面に対して当該監視画面のユーザが前記入力デバイスを用いて行う操作と同じ操作を行うＲＰＡ部と、を備え、前記ＲＰＡ部は、前記中央監視装置から前記エネルギー使用設備の設備運用状態を取得する第１操作手順、前記設備運用状態を前記解析部に入力し解析を実行させる第２操作手順、及び、前記解析部が求めた設定値を前記中央監視装置に設定するために前記入力デバイスを用いて前記監視画面に対して行う第３操作手順のそれぞれを、前記入力デバイスを介さずに自動実行することを特徴とする遠隔管理システムを提供する。